(57)【要約】【課題】ディスク状の記録媒体の回転中に衝撃が加わったとしてもトレイが開かないディスク装置を提供すること【解決手段】ロック機構５００は、ロックピン１５０に係止するロックレバー５１０と、ロックレバー５１０をロックピン１５０に係止させる方向に付勢するロックレバーバネ５２０と、ロックレバー５１０のロックピン１５０への係合状態を解除する方向へロックレバー５１０を押す移動部５３０と、移動部５３０に一部が固定されたラッチ型ソレノイド５４０と、移動部５３０をロックレバー５１０側へ付勢するロックバネ５５０と、移動部５３０に係止して移動部５３０の移動を規制する長軸状の係止レバー５６０と、係止レバー５６０を回動させるレバー回動軸５７０と、係止レバー５６０を移動部５３０に係合する方向に付勢する係止レバーバネ５８０と、リセットレバー５９０と、を備えている。【選択図】図２
2009193617.tif 000002
【特許請求の範囲】
【請求項１】
ディスク状の記録媒体を収納可能なケース体と、
前記ケース体に対して往復移動可能に設けられ、この往復移動により前記記録媒体を移動方向に搬送する平面状のトレイと、
前記トレイの進退を規制するロック手段と、
前記記録媒体の情報を読み取る読取処理および前記記録媒体へ情報を記録する記録処理のうち少なくともいずれか一方を実施するピックアップを保持するピックアップ保持装置と、
前記ピックアップ保持装置を、前記読取処理および前記記録処理が実施可能な情報処理位置と前記読取処理および前記記録処理を実施しない待避位置との間を移動可能に支持するガイド部と、を具備したディスク装置であって、
前記ロック手段は、
前記ケース体および前記トレイのうちいずれか一方に設けられた爪部材と、
前記ケース体および前記トレイのうちいずれか他方に設けられ、回動可能に軸支されるとともに前記爪部材に係脱可能とされ、前記爪部材に係合する方向へ付勢されたロック部材と、
供給電圧に応じて発生する磁力により移動可能とされた可動部を有するソレノイドと、
前記可動部に固定され、前記ロック部材に接触可能に移動し、前記ロック部材に接触する方向に付勢された移動部材と、
回動可能に軸支され、前記ピックアップ保持装置の位置に応じて回動し、前記移動部材に係脱可能とされた係脱手段と、
前記係脱部材が前記移動部材に係合する方向に付勢する付勢部材と、を備えた
ことを特徴とするディスク装置。
【請求項２】
請求項１に記載のディスク装置において、
前記係脱手段は、回動軸に軸支され、この回動軸から対角線方向へ延びる第一腕部と第二腕部とを有し、
前記第一腕部は、その端部が前記移動部材に係脱可能とされ、
前記第二腕部は、その端部が前記ピックアップ保持装置の作用を受ける
ことを特徴とするディスク装置。
【請求項３】
請求項２に記載のディスク装置において、
前記第二腕部は、その端部が前記ガイド部の近傍に配置され、前記ピックアップ保持装置が前記待避位置に位置すると同時に回動する方向に押される
ことを特徴とするディスク装置。
【請求項４】
請求項１ないし請求項３のいずれかに記載のディスク装置において、
前記係脱手段は、前記ピックアップ保持装置が前記情報処理位置に位置するときに、前記移動部材に係合する
ことを特徴とするディスク装置。
【請求項５】
請求項１ないし請求項４のいずれかに記載のディスク装置において、
前記トレイは、
前記ディスク状の記録媒体を着脱可能かつ回転可能に保持するディスク回転駆動手段と、
前記ピックアップを有するディスク保持手段と、を備えた
ことを特徴とするディスク装置。
【請求項６】
請求項１ないし請求項５のいずれかに記載のディスク装置において、
前記付勢部材は、コイルバネである
ことを特徴とするディスク装置。
【発明の詳細な説明】
【技術分野】
【０００１】
本発明は、トレイの移動を規制するロック手段を備えたディスク装置に関する。
【背景技術】
【０００２】
従来、本体に対して出し入れ自在に設けられるトレイに、例えばＤＶＤ（Digital Versatile Disk）やＣＤ（Compact Disc）等の記録媒体を載置し、トレイの挿排を実施するディスク装置が知られている。（例えば、特許文献１参照）
【０００３】
特許文献１に記載のものは、筐体と、筐体に収納または引き出し自在に設けられたトレイとを有する光ディスク装置である。この光ディスク装置は、筐体とトレイを係合するイジェクトロック機構を有しており、このイジェクトロック機構は、ソレノイドに設けられた可動片の移動や複数のアームの回動などにより、筐体とトレイとをロックしている。なお、可動片に突起部を設けることにより、トレイ挿入時の機械的強度を確保している。
【０００４】
【特許文献１】特開２００６−８５７９９号公報
【発明の開示】
【発明が解決しようとする課題】
【０００５】
しかしながら、特許文献１のような構成では、トレイ挿入時にソレノイドの可動片にかかる衝撃による荷重を低減してイジェクトロック機構の外れ防止に対する信頼性を高めているのみである。すなわち、ディスク処理中にかかる衝撃には対応できない。
ディスク装置のトレイの開閉を規制するロック機構には、一般的にラッチ型ソレノイドが使用されている。このようなラッチ型ソレノイドを使用している場合、トレイに衝撃が加わると、ラッチ型ソレノイドのマグネットの吸着力が失われ、ロックが開放する方向に動いてしまい、トレイが開いてしまうおそれがある。特に、記録中や再生中など、ディスクが回転している最中にラッチ型ソレノイドに衝撃が加わると、ディスクが回転したままトレイが開いたり、ディスクの傷が原因でディスクが割れた場合にその衝撃でトレイが開き、ディスクの破片が飛び散る可能性が高く、大変な危険が発生するおそれがあるという問題点が一例として挙げられる。
【０００６】
本発明は、ディスク状の記録媒体の回転中に衝撃が加わったとしてもトレイが開かないディスク装置を提供することを１つの目的とする。
【課題を解決するための手段】
【０００７】
本発明のディスク装置は、ディスク状の記録媒体を収納可能なケース体と、前記ケース体に対して往復移動可能に設けられ、この往復移動により前記記録媒体を移動方向に搬送する平面状のトレイと、前記トレイの進退を規制するロック手段と、前記記録媒体の情報を読み取る読取処理および前記記録媒体へ情報を記録する記録処理のうち少なくともいずれか一方を実施するピックアップを保持するピックアップ保持装置と、前記ピックアップ保持装置を、前記読取処理および前記記録処理が実施可能な情報処理位置と前記読取処理および前記記録処理を実施しない待避位置との間を移動可能に支持するガイド部と、を具備したディスク装置であって、前記ロック手段は、前記ケース体および前記トレイのうちいずれか一方に設けられた爪部材と、前記ケース体および前記トレイのうちいずれか他方に設けられ、回動可能に軸支されるとともに前記爪部材に係脱可能とされ、前記爪部材に係合する方向へ付勢されたロック部材と、供給電圧に応じて発生する磁力により移動可能とされた可動部を有するソレノイドと、前記可動部に固定され、前記ロック部材に接触可能に移動し、前記ロック部材に接触する方向に付勢された移動部材と、回動可能に軸支され、前記ピックアップ保持装置の位置に応じて回動し、前記移動部材に係脱可能とされた係脱手段と、前記係脱部材が前記移動部材に係合する方向に付勢する付勢部材と、を備えたことを特徴とする。
【発明を実施するための最良の形態】
【０００８】
以下、本発明の一実施形態を図面に基づいて説明する。
本実施形態では、ディスク状の記録媒体としての光ディスクに情報を記録および読み出す機能を備えた処理装置であるディスク装置としてのディスクドライブを例示して説明する。なお、記録媒体としては、光ディスクに限られず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【０００９】
図１は、本発明の一実施形態に係るディスク装置の内部構成を示す平面図である。図２は、前記一実施形態におけるロック状態を示す拡大平面図である。図３は、前記一実施形態におけるロック状態からロック解除状態への移行段階を示す拡大平面図である。図４は、前記一実施形態におけるロック解除状態を示す拡大平面図である。
【００１０】
〔ディスクドライブの構成〕
【００１１】
図１において、１００は、ディスクドライブである。このディスクドライブ１００は、いわゆるスリム型のドライブであり、例えば、ノート型のパーソナルコンピュータやゲーム機などに装着される。
ディスクドライブ１００は、ケース体１１０を備えている。
ケース体１１０は、底部側の下ケース１１１と天面側の図示しない上ケースとにより構成され、内部に空間を有する略四角箱状に形成されている。このケース体１１０は、一面側に開口部１１２を有している。ケース体１１０内には、トレイ部１２０と、このトレイ部１２０の開口部１１２を介した進退移動を案内するレール部１３０と、トレイ部１２０の進退移動をケース体１１０内にロックする爪部材としてのロックピン１５０と、ディスクドライブ１００の動作の制御などを実施する図示しない制御回路部とが設けられている。
【００１２】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。
また、トレイ１２１には、化粧板１２２側の一端部から円弧状凹部１２３の略中心に向かってディスク保持手段としてのディスク処理部２００が設けられている。
そして、トレイ１２１の下面側には、ロックピン１５０に係合するためのロック手段としてのロック機構５００が設けられている。
【００１３】
レール部１３０は、ケース体１１０の開口部１１２からトレイ１２１の進退方向に沿って配設され、トレイ１２１の両側面に沿って設けられている。
ロックピン１５０は、略円柱状に下ケース１１１の表面から突出した状態で設けられる。
【００１４】
また、トレイ部１２０に設けられたディスク処理部２００は、例えば、金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。
【００１５】
ディスク回転駆動手段２２０は、図示しないスピンドルモータと、このスピンドルモータの出力軸に一体的に設けられたターンテーブル２２１と、を備えている。スピンドルモータは、制御回路部に制御可能に接続され、制御回路部から供給される電力により駆動する。ターンテーブル２２１は、トレイ１２１の略中心部に設けられるとともに光ディスクを回転可能に保持する。
【００１６】
また、台座部２１０には、処理移動手段２３０が配設されている。この処理移動手段２３０は、後述のピックアップボディ３０１の移動をガイドするガイド部２４０と、ガイド部２４０を移動させる移動用モータ２５０と、などを備えている。
【００１７】
ガイド部２４０は、軸方向が台座部２１０の長手方向に略沿う状態で設けられたガイド部材としての第１ガイドシャフト２４１と、処理開口部２１１を介して第１ガイドシャフト２４１と平行に配設されたガイド部材としての第２ガイドシャフト２４２と、を備えている。
【００１８】
移動用モータ２５０は、外周面に螺旋状の係合溝が設けられたリードスクリュ２５１と、リードスクリュ２５１に電圧を供給する電動用モータ２５２と、を備えている。
リードスクリュ２５１は、第２のガイドシャフト２４２の近傍に、この第２ガイドシャフト２４２と平行に配設されている。
電動用モータ２５２は、リードスクリュ２５１の一方の端部に設けられている。この電動用モータ２５２は、図示しない電圧印加部により印加される電圧によりリードスクリュ２５１を回転させ、後述するピックアップボディ３０１を移動させる。
【００１９】
さらに、台座部２１０には、処理移動手段２３０に支持されたピックアップとしての情報処理部３００が配設されている。
この情報処理部３００は、第１ガイドシャフト２４１および第２ガイドシャフト２４２間に架橋する状態で設けられた略長方形板状のピックアップボディ３０１を備えている。このピックアップボディ３０１の長手方向の一縁には、第１ガイドシャフト２４１が係合可能な断面コ字状のガイドシャフト係合部３０２が設けられている。また、ピックアップボディ３０１の長手方向の他縁には、第２ガイドシャフト２４２が挿通可能なガイドシャフト受部３０３が設けられている。
すなわち、ピックアップボディ３０１は、移動経路の両側縁側に設けられた第１ガイドシャフト２４１および第２ガイドシャフト２４２により、ガイドされつつ移動する。
【００２０】
さらに、ピックアップボディ３０１には、光ディスクの記録面に記録された各種情報を読み取って出力回路部へ出力する読取処理や、各種情報を記録面に記録する記録処理を実施する光ピックアップ３０４が配設されている。
【００２１】
ピックアップボディ３０１は読取処理または記録処理を実施する場合は、第１ガイドシャフト２４１および第２ガイドシャフト２４２に沿って読取処理または記録処理を実施できる範囲内に移動する。この範囲内を情報処理位置とする。一方、読取処理または記録処理を実施しない場合は、ピックアップボディ３０１は、第１ガイドシャフト２４１および第２ガイドシャフト２４２に沿って最外周側に位置する。この位置を待避位置とする。
【００２２】
また、台座部２１０の上面側には、図示しないＴＭカバー部材が設けられる。
ＴＭカバー部材は、例えばアルミなどの軽量金属により形成され、処理移動手段２３０、情報処理部３００の一部を覆う状態に台座部２１０に固定される。そして、ＴＭカバー部材は、光ピックアップ３０４の移動経路、すなわちターンテーブル２２１の径方向に沿って処理開口部が設けられ、光ピックアップ３０４が光ディスクの記録面に対向し、記録面に所定波長の光を射出可能となっている。
【００２３】
そして、トレイ部１２０に設けられたロック機構５００は、トレイ１２１の進退を規制するものであり、トレイ１２１の下面側における化粧板１２２の裏面側に配置される。
ロック機構５００は、図２に示すように、ロックピン１５０に係脱するロック部材としてのロックレバー５１０と、ロックレバー５１０をロックピン１５０に係合させる方向に付勢するロックレバーバネ５２０と、ロックレバー５１０のロックピン１５０への係合状態を解除する方向へロックレバー５１０を押す移動部材としての移動部５３０と、移動部５３０に一部が固定されたラッチ型ソレノイド５４０と、移動部５３０をロックレバー５１０側へ付勢するロックバネ５５０と、移動部５３０に係脱して移動部５３０の移動を規制する長軸状の係脱手段としての係止レバー５６０と、係止レバー５６０を回動させるレバー回動軸５７０と、係止レバー５６０を移動部５３０に係合する方向に付勢する付勢手段としての係止レバーバネ５８０と、移動部５３０をロック位置にリセットするリセットレバー５９０と、を備えている。
【００２４】
ロックレバー５１０は、回動可能に軸支されるとともに、ロックピン１５０に係脱可能とされるものであり、略長手状に形成される。ロックレバー５１０は、その一方の端部に形成された鉤状の鉤部５１１と、他方の端部に設けられ、移動部５３０の作用を受ける作用受部５１２と、鉤部５１１および作用受部５１２とを連結し、後述のロックレバーバネ５２０が取り付けられる取付部５１３Ａを有する連結部５１３と、を備えている。
鉤部５１１は、略円柱状のロックピン１５０に対して係脱可能に動作する。鉤部５１１がロックピン１５０に係合すると、トレイ１２１を引き出すことができない状態となる。一方、鉤部５１１とロックピン１５０との係合状態を解除すると、トレイ１２１を引き出すことができる状態となる。
作用受部５１２は、移動部５３０の移動による作用を受ける部分である。作用受部５１２は、連結部５１３から鉤部５１１とは反対側の方向に舌片状に形成される。なお、作用受部５１２とケース体１１０との間には所定のあそびを有している。ロックレバー５１０は、作用受部５１２において移動してきた移動部５３０に押され、後述のロックレバーバネ５２０を回動軸として回動する。
連結部５１３では、ロックレバーバネ５２０が取付部５１３Ａに摺動可能に取り付けられる。
【００２５】
ロックレバーバネ５２０は、例えば、ねじりコイルばねを使用する。ロックレバーバネ５２０のコイル部５２１が取付部５１３Ａに取り付けられる。ロックレバーバネ５２０の一方の端部５２２はトレイ１２１に固定され、他方の端部５２３は鉤部５１１のロックピン１５０と接する側とは反対側に固定されている。これにより、鉤部５１１は、ロックピン１５０に係合する方向に付勢される。
【００２６】
移動部５３０は、ロックレバー５１０の作用受部５１２に接触可能に移動する部材であり、ロック機構５００の最も下面側に配置される。移動部５３０は、ロックレバー５１０の作用受部５１２に接触する作用部５３１と、ラッチ型ソレノイド５４０の可動部５４２と接続する接続部５３２と、係止レバー５６０が係脱される係止受部５３３と、が一体的に形成されている。
作用部５３１は、移動部５３０がロックレバー５１０の方向へ移動した場合に、ロックレバー５１０の作用受部５１２と接触しそのまま作用受部５１２を押して、ロックレバー５１０をロックレバーバネ５２０を回動軸として回動させる。このようにロックレバー５１０を回動させることにより、ロックレバー５１０の鉤部５１１とロックピン１５０との係合状態を解除することができる。
【００２７】
なお、図２に示すように、移動部５３０がラッチ型ソレノイド５４０側にある位置をロック位置とし、図４に示すように、移動部５３０がロックレバー５１０側にある位置をロック解除位置とする。
【００２８】
接続部５３２は、図２に示すように、後述のラッチ型ソレノイド５４０の可動部５４２を接続する。接続部５３２には、可動部５４２に係合可能に設けられた凸状の接続ピン５３２Ａが形成されている。
係止受部５３３は、ロックレバー５１０側とは反対側に凸状に形成される。そして、移動部５３０がロック位置にある場合には、後述の係止レバー５６０が凸状の係止受部５３３に係合し、移動部５３０がロックレバー５１０側へ移動しないように規制する。
【００２９】
ラッチ型ソレノイド５４０は、図示しない制御回路部に電気的に接続されており、供給された電圧により磁力を発生する。ラッチ型ソレノイド５４０は、磁力を発生させるソレノイド本体部５４１と、その磁力に応じてソレノイド本体部５４１から伸縮可能に設けられた可動部５４２と、を備えている。
ソレノイド本体部５４１は、トレイ１２１に固定され、図示しない制御回路部に電気的に接続されている。そして、ソレノイド本体部５４１は、制御回路部から入力される信号に基づいて駆動し、可動部５４２をロックレバー５１０の方向へ進退させる。
可動部５４２は、ソレノイド本体部５４１からロックレバー５１０側に延出して設けられ、ソレノイド本体部５４１の磁力を解除することによりロックバネ５５０の付勢力でロックレバー５１０の方向へ進退される。そして、可動部５４２の先端には、移動部５３０の接続部５３２に接続する接続孔５４２Ａが形成されている。この接続孔５４２Ａに、移動部５３０の接続ピン５３２Ａが嵌合し、可動部５４２と移動部５３０とが一体的に動作することができる。すなわち、移動部５３０は、可動部５４２の動作に追従して移動する。
【００３０】
ロックバネ５５０は、例えば、引張コイルばねを使用する。ロックバネ５５０における一方の端部はトレイ１２１に固定された固定端部５５１を有し、他方の端部は移動部５３０に固定された可動端部５５２を有している。ロックバネ５５０は、移動部５３０をロック解除位置に位置させる方向に移動部５３０を付勢している。
なお、ロックバネ５５０の付勢力は、ラッチ型ソレノイド５４０により発生する磁力より小さい。
【００３１】
トレイ１２１が閉じることにより、リセットレバー５９０が移動部５３０を押すことで可動部５４２はソレノイド本体部５４１側へ移動し、吸着され、移動部５３０はロック位置に位置する。
一方、ピックアップボディ３０１が待避位置に移動したときは、ラッチ型ソレノイド５４０に電圧を供給して磁力を開放するため、移動部５３０は、ロックバネ５５０の付勢力によりロックレバー５１０側へ移動し、ロック解除位置に位置する。
【００３２】
係止レバー５６０は、ディスク処理部２００の処理開口部２１１の周縁上で回動可能に軸支され、ピックアップボディ３０１の位置に応じて移動部５３０に係脱可能とされる部材である。係止レバー５６０は、ディスク処理部２００の処理開口部２１１の形状に沿って長軸状に折曲形成され、その中間に設けられたレバー回動軸５７０により回動可能に軸支される。係止レバー５６０は、移動部５３０の係止受部５３３に係脱する鉤状の係止部５６１Ａを有する第一腕部５６１と、ガイドシャフト受部３０３の作用を受けるＯＰＵ作用受部５６２Ａを有する第二腕部５６２と、を有している。
係止部５６１Ａは、レバー回動軸５７０を軸とした回動動作により、凸状に形成された移動部５３０の係止受部５３３に係脱される。
【００３３】
ＯＰＵ作用受部５６２Ａは、第２ガイドシャフト２４２の近傍に配置される。具体的には、ピックアップボディ３０１が待避位置に移動した場合に、ガイドシャフト受部３０３がＯＰＵ作用受部５６２Ａを押すことができる位置に配置される。なお、第二腕部５６２と化粧板１２２との間には所定のあそびを有している。
【００３４】
レバー回動軸５７０は、前述のとおり、係止レバー５６０の中間に設けられ、係止レバー５６０を回動可能となる状態に軸支する。
【００３５】
係止レバーバネ５８０は、係止レバー５６０が移動部５３０に係合する方向に付勢する部材で、例えば、コイルバネを使用する。その一方の端部にはトレイ１２１に固定された固定端部５８１を有し、他方の端部には係止レバー５６０に固定された可動端部５８２を有している。固定端部５８１はトレイ１２１に固定されているためその位置が移動することはないが、可動端部５８２は回動可能に軸支された係止レバー５６０の動作に追従して移動する。係止レバーバネ５８０は、係止レバー５６０を、係止部５６１Ａが移動部５３０の係止受部５３３に係合する方向に付勢している。
【００３６】
リセットレバー５９０は、ロックピン１５０からの作用を受ける作用受部５９１と、移動部５３０に対して作用する作用部５９２と、作用受部５９１および作用部５９２を回動させる回動軸５９３と、リセットレバー５９０を所定の位置に付勢するリセットレバーバネ５９４と、を備えている。
作用受部５９１は、回動軸５９３から腕状に伸びて形成され、トレイ１２１が閉じるときにロックピン１５０と接触し、この接触によりリセットレバー５９０が回動する。
作用部５９２は、回動軸５９３から腕状に伸びて形成され、作用受部５９１がロックピンに押されて回動すると同時に回動し、移動部５３０に接触して移動部５３０をロック位置側に押す。
リセットレバーバネ５９４は、リセットレバー５９０の作用部５９２が移動部５３０に接触しない位置に付勢する部材で、例えば、コイルバネを使用する。その一方の端部はトレイ１２１に固定された固定端部となり、他方の端部はリセットレバー５９０に固定された可動端部となる。
【００３７】
図２に示すように、ロック状態の場合は、ＯＰＵ作用受部５６２Ａがガイドシャフト受部３０３の作用を受けないので、係止レバーバネ５８０の付勢力により係止レバー５６０の係止部５６１Ａが移動部５３０の係止受部５３３に係合している。
一方、図４に示すように、ロック解除状態の場合は、ＯＰＵ作用受部５６２Ａがガイドシャフト受部３０３の作用を受けて係止レバー５６０が回動するため、係止部５６１Ａと係止受部５３３の係合状態が解除される。
【００３８】
〔ディスクドライブの動作〕
次に、上記一実施形態におけるディスクドライブ１００の動作を図２、図３および図４に基づいて説明する。ここでは、ディスクドライブ１００の動作として、ロック機構５００によるロックの動作について説明する。
【００３９】
まず、図２を用いて、ロック機構５００によりロックされる状態から説明する。
図２では、ディスクドライブ１００が、ディスクを再生処理またはディスクへの記録処理を実行している状態である。この状態をロック状態とする。
ロック状態になる直前、すなわちトレイ１２１が閉じられるとき、リセットレバー５９０の作用受部５９１は、トレイ１２１の進行方向とは反対の方向からロックピン１５０に接触し、そのまま押されることにより回動軸５９３を中心として回動する。このとき、作用部５９２も同時に回動して移動部５３０を押し、可動部５４２がソレノイド本体部５４１側へ移動し、吸着される。
移動部５３０の移動により、ロックレバー５１０を規制するものがなくなるので、ロックレバー５１０は付勢される方向に回動し、鉤部５１１がロックピン１５０に係合する。
そして、ピックアップボディ３０１が情報処理位置へ移動するため、係止レバー５６０のＯＰＵ作用受部５６２Ａはガイドシャフト受部３０３の作用を受けなくなる。これにより、係止レバーバネ５８０の付勢力により係止レバー５６０がレバー回動軸５７０を軸として回動し、第一腕部５６１の係止部５６１Ａは、移動部５３０の係止受部５３３に係合する。こうして、ロック状態となる。
【００４０】
次に、図３および図４を用いて、ディスク処理が終了し、ロック解除状態となる動作について説明する。
まず、図３に示すように、ピックアップボディ３０１が待避位置に移動する。これにより、ガイドシャフト受部３０３が係止レバー５６０のＯＰＵ作用受部５６２Ａに接触するとともに回動する方向へ押す。これにより、係止レバー５６０の係止部５６１Ａと係止受部５３３との係合状態が解除される。
【００４１】
次に、図４に基づいて説明する。電圧が供給されると、ラッチ型ソレノイド５４０の磁力が開放されるため、ソレノイド本体部５４１と可動部５４２との間の吸着力が失われる。前述のように、係止レバー５６０の係止部５６１Ａと係止受部５３３との係合状態は解除されているので、ロックバネ５５０の付勢力により、移動部５３０がロックレバー５１０側へ移動する。このとき、移動部５３０に接続された可動部５４２は、移動部５３０の動作に追従してソレノイド本体部５４１からロックレバー５１０の方向に延出する。そして、移動部５３０の作用部５３１がロックレバー５１０の作用受部５１２を押してロックレバー５１０を回動させる。これにより、鉤部５１１とロックピン１５０との係合状態が解除される。こうしてロックが解除され、トレイ１２１を引き出せる状態となる。
【００４２】
〔ディスクドライブの作用効果〕
以上の上記一実施形態によれば、以下の作用効果が期待できる。
【００４３】
上述したように、上記実施形態では、ディスクドライブ１００に、ロックピン１５０に係脱可能なロックレバー５１０と、ロックレバー５１０を回動させる移動部５３０と、移動部５３０を移動させるラッチ型ソレノイド５４０と、ピックアップボディ３０１の位置に応じて移動部５３０の移動を規制する係止レバー５６０を設けた。
このため、ディスク処理中においては、係止レバー５６０の係止部５６１Ａと移動部５３０の係止受部５３３とが常に係合状態を維持しており、ディスク処理中にラッチ型ソレノイド５４０に何らかの衝撃が加わって磁力が失われたとしても、移動部５３０がロックレバー５１０の方向へ移動することがない。
したがって、ディスクが回転したままトレイ１２１が開くという危険性を防止することができる。特に、ディスクについた傷などにより、ディスク処理中にディスクが割れた場合でも、割れた衝撃によりロックが外れることがないので、トレイが開いてディスクの破片が飛び散るといった危険性を防止することができる。すなわち、安全性の向上を図ることができる。
【００４４】
また、上記実施形態では、係止レバー５６０のＯＰＵ作用受部５６２Ａとガイドシャフト受部３０３とを第２ガイドシャフト２４２の近傍で接触させる構成とした。
第２ガイドシャフト２４２の近傍は動作が安定しているので、ＯＰＵ作用受部５６２Ａとガイドシャフト受部３０３との接触を確実に行うことができる。したがって、係止レバー５６０の係止部５６１Ａと移動部５３０の係止受部５３３とを確実に係合させることができるので、ディスク処理中にトレイ１２１が開く危険性をより確実に防止することができる。
【００４５】
さらに、上記実施形態では、従来のロック機構に係止レバー５６０を追加しただけの簡単な構造である。
したがって、ロック機構の小型化を図ることができる。また、従来のロック機構をそのまま使用することができるので、製造に手間がかからず、コスト低減を図ることができる。
【００４６】
そして、係止レバー５６０を付勢する係止レバーバネ５８０として、コイルバネを使用した。
したがって、コイルバネは取り付けが簡単であるので、組立性の向上を図ることができる。
【００４７】
特に、スリム型のドライブとして携帯型のパーソナルコンピュータなどに利用されるので、携帯中になんらかの衝撃が加わったとしても、トレイ１２１が開くおそれがない。したがって、携帯性および安全性が向上する。
【００４８】
［実施形態の変形］
なお、本発明は、上述した実施形態に限定されるものではなく、本発明の目的を達成できる範囲で以下に示される変形をも含むものである。
【００４９】
すなわち、上述した実施形態では、係止レバー５６０の係止部５６１Ａと移動部５３０の係止受部５３３とを係脱させる構成としたが、係止レバー５６０が移動部５３０に係脱できればこれに限られない。例えば、移動部５３０に係止レバー５６０が係脱可能な新たな係合部を設けてもよい。
【００５０】
また、上述した実施形態では、スリム型のドライブとして利用されたが、いわゆるハーフハイト型のドライブにも適用することができる。
【００５１】
その他、本発明の実施の際の具体的な構造および手順は、本発明の目的を達成できる範囲で他の構造などに適宜変更できる。
【００５２】
［実施形態の作用効果］
上述したように、上記一実施形態では、ディスクドライブ１００に、ピックアップを保持するピックアップボディ３０１と、ピックアップボディ３０１を移動可能に支持するガイド部２４０と、ケース体１１０に対するトレイ１２１の移動を規制するロック機構５００を設けた。また、ロック機構５００には、ケース体１１０に設けられたロックピン１５０に係合するロックレバー５１０と、ロックレバー５１０を回動させる移動部５３０と、移動部５３０を移動させるラッチ型ソレノイド５４０と、ピックアップボディ３０１の位置に応じて移動部５３０の移動を規制する係止レバー５６０を設けた。
このため、ピックアップボディ３０１が情報処理位置にあるときは、係止レバー５６０が移動部５３０に係合して移動部５３０がロックレバー５１０側に移動しないように規制する。
したがって、ディスク処理中にラッチ型ソレノイド５４０に何らかの衝撃が加わって磁力が失われた場合であっても、移動部５３０がロックレバー５１０の方向へ移動することがない。すなわち、ディスクが回転したままトレイ１２１が開くという危険性を防止することができる。特に、ディスクについた傷などにより、ディスク処理中にディスクが割れた場合でも、割れた衝撃によりロックが外れることがないので、トレイが開いてディスクの破片が飛び散るといった危険性を防止することができる。すなわち、安全性の向上を図ることができる。
【図面の簡単な説明】
【００５３】
【図１】本発明の一実施形態に係るディスク装置の内部構成を示す平面図。
【図２】前記一実施形態におけるロック状態を示す拡大平面図。
【図３】前記一実施形態におけるロック状態からロック解除状態への移行段階を示す拡大平面図。
【図４】前記一実施形態におけるロック解除状態を示す拡大平面図。
【符号の説明】
【００５４】
１００…ディスク装置としてのディスクドライブ
１５０…ロックピン
２４２…第２ガイドシャフト
３０１…ピックアップボディ
３０３…ガイドシャフト受部
５００…ロック機構
５１０…ロックレバー
５２０…ロックレバーバネ
５３０…移動部
５３１…作用部
５３２…接続部
５３３…係止受部
５４０…ラッチ型ソレノイド
５４１…ソレノイド本体部
５４２…可動部
５５０…ロックバネ
５６０…係止レバー
５６１…第一腕部
５６１Ａ…係止部
５６２…第二腕部
５６２Ａ…ＯＰＵ作用受部
５７０…レバー回動軸
５８０…係止レバーバネ
５９０…リセットレバー
５９１…作用受部
５９２…作用部
５９３…回動軸
５９４…リセットレバーバネ
【図１】
2009193617.tif 000003
【図２】
2009193617.tif 000004
【図３】
2009193617.tif 000005
【図４】
2009193617.tif 000006